(57)【特許請求の範囲】
【請求項１】
インモールド成形により表面にラベルを積層したラベル付き合成樹脂成形品であって、
ラベル(11)は、合成樹脂製の基材フィルム(12)上に接着剤層(13)と加飾層(14)を順次積層したものとし、
前記接着剤層(13)は積層部分と非積層部分が交互に繰り返すように所定のパターンで積層したものとし、
加飾層(14)は、前記接着剤層(13)の形成パターンに沿って、前記接着剤層(13)の積層部分に積層して前記基材フィルム(12)に接着固定される接着部(14s)と、隣接する接着部(14s)間に位置する前記接着剤層(13)の非積層部分に積層して前記基材フィルム(12)に接着していない非接着部(14n)を有し、
インモールド成形における前記基材フィルム(12)と加飾層(14)の成形収縮の差により、隣接する接着部(14s)間で非接着部(14n)に弛みが発生した構成としたラベル付き合成樹脂成形品。
【請求項２】
ラベル(11)の接着剤層(13)の形成パターンを網目状とした請求項１記載のラベル付き合成樹脂成形品。
【請求項３】
ラベル(11)の周端縁に、周状に囲うように接着剤層(13)を形成した請求項１または２記載のラベル付き合成樹脂成形品。
【請求項４】
加飾層(14)の基材を不織布若しくは紙とした請求項１、２または３記載のラベル付き合成樹脂成形品。
【請求項５】
成形品をカップ容器とした請求項１、２、３または４記載のラベル付き合成樹脂成形品。
【発明の詳細な説明】
【技術分野】
【０００１】
本発明は、インモ−ルド成形法によりラベルを貼付したラベル付き合成樹脂成形品に関する。
【背景技術】
【０００２】
容器等の合成樹脂成形品の加飾は商品力の大きな部分を占めるものであり、塗装、印刷等により購入者が高級な、あるいは独特な感触を感じるよう、加飾性を発揮させて、商品イメージが大きく向上するようにしている。
【０００３】
従来より、合成樹脂成形品の表面加飾技術の一つとし、ラベルを予め金型内に設置し、成形と同時に成形品表面にラベルの貼付を行うインモールド成形法が知られており、成形品の表面を、例えば、文字、図形、記号、絵柄等により容易に、しかも、表面の段差をなくしてラベルを成形品本体と一体化することができ、高品位に加飾性を付与することができる。（たとえば特許文献１参照）
【特許文献１】特開２００５−１８９６２８号公報
【発明の開示】
【発明が解決しようとする課題】
【０００４】
本発明は、インモールド成形法を利用して従来にない加飾性、立体的な視覚効果、質感、風合、さらには断熱性、滑り止め等の機能が付与可能なラベルの層構成を創出することを課題とし、今までにない加飾性と機能性を付与したラベル付き合成樹脂成形品を提供すること目的とする。
【課題を解決するための手段】
【０００５】
上記技術的課題を解決する本発明の主たる構成は、
インモールド成形により表面にラベルを積層したラベル付き合成樹脂成形品において、
ラベルは、合成樹脂製の基材フィルム上に接着剤層と加飾層を順次積層したものとし、
接着剤層は積層部分と非積層部分が交互に繰り返すように所定のパターンで積層したものとし、
加飾層は、接着剤層の形成パターンに沿って、接着剤層の積層部分に積層して基材フィルムに接着固定される接着部と、隣接する接着部間に位置する接着剤層の非積層部分に積層して基材フィルムに接着していない非接着部を有し、
インモールド成形における基材フィルムと加飾層の成形収縮の差により、隣接する接着部間で非接着部に弛みが発生した構成とする、と云うものである。
【０００６】
インモールド成形では、ラベルを予め金型キャビティ内に設置し、被加飾体である成形品の成形と同時に成形品表面にラベルの貼付を行うが、成形中、成形品を形成する高温の溶融樹脂あるいは軟化樹脂に押圧状に接触して、ラベルの基材フィルムは、部分的に溶融、あるいは軟化して成形品と一体化、その後冷却工程で成形品と共に冷却固化され、この際成形品の成形収縮に伴なって基材フィルムも収縮する。
【０００７】
一方、加飾層の方は冷却水用の配管が配設される金型キャビティに押圧状に接しているので成形収縮はほとんど見られず、この基材フィルムと加飾層の成形収縮の差により、加飾層では、接着剤層を介して基材フィルムに接着固定される接着部でその周縁部を拘束されながら、隣接する接着部間で非接着部は弛みが発生した状態となる。
【０００８】
そして、このような非接着部での弛みの発生により、ラベル表面に凹凸模様を現出させたり、非接着部に皺を発生させて光線の反射態様に変化を与える等することができ、従来にない加飾性、立体的な視覚効果、質感、風合をさまざまな態様で付与することができる。
また、非接着部の弛みに起因する凹凸を利用して、断熱性や保温性、あるいは滑り止め等の機能を付与することも可能となる。
【０００９】
ここで、接着剤層の形成パターンは加飾目的や機能付与に応じて、例えば格子状、クロスハッチ状、多数のドット形状等、さまざまなパターンとすることができるし、このパターンで文字や絵柄を描くこともできる。
また、加飾層の基材は弛み、皺の発生の程度等を考慮し適宜選択することができ、勿論基材に印刷や、蒸着によりさらに加飾することができる。
【００１０】
本発明の他の構成は、上記主たる構成において、ラベルの接着剤層の形成パターンを網目状とする、と云うものである。
【００１１】
この網目状のパターンには格子状、クロスハッチ状のパターン等が含まれるが、網目状のパターンとすることにより、接着部に周囲を閉状態に囲まれた多数の加飾層の非接着部を並べることができ、凹凸模様による立体的な視覚効果や、凹凸を利用した断熱機能、滑り止め機能をより効果的付与することができる。また、網目の形状や細かさを適宜選択して、さまざまな態様の加飾や、機能付与に対応することができる。
【００１２】
本発明のさらに他の構成は、ラベルの周端縁に、周状に囲うように接着剤層を形成する、と云うものである。
【００１３】
上記構成により、ラベルの周端縁に、周状に囲うように接着剤層を形成することにより、ラベルの周端縁の美観を損なわないようし、さらに周端縁での被接着部を起点とした加飾層の剥がれを効果的に防止することができる。
【００１４】
本発明のさらに他の構成は、加飾層の基材を不織布若しくは紙とする、と云うものである。
【００１５】
上記構成により、加飾層の基材を不織布若しくは紙とすることにより、接着剤層に使用する接着剤が加飾層に十分浸透するので、非接着層の存在に拘わらず、加飾層を基材フィルムへ強固に接着固定することができる。
また、非接着部の弛みによる皺の発生が相俟って、独特な質感や風合を付与することができる。また、不織布あるいは紙の断熱性と非接着部の弛みに起因する凹凸を利用して断熱性や滑り止め機能をより効果的に付与することができる。
【００１６】
本発明のさらに他の構成は、成形品をカップ容器とする、と云うものである。
【００１７】
カップ容器は射出成形、ブロー成形、熱成形等のいずれもラベルのインモールド成形が可能な成形方法で成形でき、多くの場合比較的薄肉に成形され、たとえばホットコーヒー等の高温の飲料向けにも使用されるが、非接着部の弛みに起因する凹凸を利用して断熱性や滑り止め機能付与し、安全、便利に使用できるカップ容器を提供することができる。
【発明の効果】
【００１８】
本発明は上記した構成であり、以下に示す効果を奏する。
本発明の主たる構成を有するものにあっては、インモール成形に伴なう、基材フィルムと加飾層における成形収縮の差による非接着部での弛みの発生により、ラベル表面に凹凸模様を現出させたり、非接着部に皺を発生させて光線の反射態様に変化を与える等することができ、従来にない加飾性、立体的な視覚効果、質感、風合をさまざまな態様で付与することができる。また、凹凸を利用して断熱性や保温性、あるいは滑り止め等の機能を付与することもできる。
【００１９】
ラベルの接着剤層の形成パターンを網目状とするものにあっては、接着部に周囲を閉状態に囲まれた多数の加飾層の非接着部を並べることができ、凹凸模様による立体的な視覚効果や、凹凸を利用した断熱機能、滑り止め機能をより効果的付与することができる。また、網目の形状や細かさを適宜選択して、さまざまな態様の加飾や、機能付与に対応することができる。
【００２０】
ラベルの周端縁に、周状に囲うように接着剤層を形成するものにあっては、ラベルの周端縁の美観を損なわないようし、さらに被接着部を起点とした加飾層の剥がれを効果的に防止することができる。
【００２１】
加飾層の基材を不織布あるいは紙とするものにあっては、接着剤層に使用する接着剤が加飾層に十分浸透するので、非接着層の存在に拘わらず、加飾層を基材フィルムへ強固に接着固定することができる。また、非接着部の弛みによる皺の発生が相俟って、独特な質感や風合を付与することができる。また、不織布あるいは紙の断熱性と非接着部の弛みに起因する凹凸を利用して断熱性や滑り止め機能をより効果的に付与することができる。
【００２２】
成形品をカップ容器とするものにあっては、非接着部の弛みに起因する凹凸を利用して断熱性や滑り止め機能付与し、ホットコーヒー等の高温の飲料向けに、安全、便利に使用できるカップ容器を提供することができる。
【発明を実施するための最良の形態】
【００２３】
本発明の実施形態を実施例に沿って図面を参照しながら説明する。
図１〜図３は本発明のラベル付き合成樹脂成形品の一実施例であるラベル付きカップ容器を示すものであり、図１（ａ）はやや斜め上方、正面から見た斜視図、図１（ｂ）はその説明図、図２は容器の層構成を示す説明図、また図３（ａ）はカップ容器１に使用するラベル１１の接着剤層１３の形成パターンを示す説明図、（ｂ）はラベルの層構成を示す説明図である。
【００２４】
このカップ容器１はポリプロピレン（ＰＰ）樹脂製の射出成形によるものであり、その胴部の外表面に、全高さ、全周に亘って、インモールド成形によりラベル１１を接着積層（貼付）している。
本実施例では加飾層１４として不織布を使用しているが、ラベル１１の層構成は図３（ｂ）に示されるように、ＰＰ樹脂製の基材フィルム１２と、接着剤層１３と、加飾層１４を順次積層したものであり、接着剤層１３は図３（ａ）に示されるように、クロスハッチ状に、またラベル１１の周端縁を周状に囲うように形成されている。
【００２５】
そして、加飾層１４は、図３（ａ）に示される接着剤層１３の形成パターンに沿って基材フィルム１２に接着固定される接着部１４ｓと、隣接する接着部１４ｓに周囲を閉状態で囲まれて位置する多数の非接着部１４ｎを有する。
【００２６】
なお、上記のように加飾層１４は非接着部１４ｎを有するので、接着剤層１３による、基材フィルム１２への加飾層１４の接着強度を十分に確保する必要があるが、接着強度を強固にするためには、透明性を有する基材フィルム１２を使用し、ＵＶ硬化タイプの接着剤を使用して接着剤層１３を所定のパターンに形成し、加飾層１４を積層後、基材フィルム１２側からＵＶ照射するのが好ましい。
また、加飾層１４の基材に本実施例のように不織布を使用したり、紙を使用することにより、接着剤が加飾層１４に十分浸透するので、接着強度を強固にすることができる。
【００２７】
図６はインモ−ルド射出成形の概略的説明図である。インモールドでのラベル１１のカップ容器１への貼付（接着）は、カップ容器１の射出成形工程において、射出成形金型３１のキャビティ型３３に、円筒状にしたラベル１１を真空吸引孔３６を介して吸引するようにして設置し、次にコア型３２をキャビティ型３３内に侵入させ、溶融した合成樹脂をゲート３５からキャビティ３４内に射出して成形することにより実施する。
【００２８】
そして、このようなインモールド成形法による成形中、成形品であるカップ容器１を形成する高温の溶融樹脂に押圧状に接触して、ラベル１１の基材フィルム１２は、部分的に溶融して成形品と一体化、その後の冷却工程で成形品と共に冷却固化され、この際成形品の成形収縮に伴なって基材フィルム１１も収縮する。
【００２９】
一方、加飾層１４の方は冷却水用の配管が配設されるキャビティ型３３に押圧状に接しているので成形収縮はほとんど見られず、この基材フィルム１２と加飾層１４の成形収縮の差により、加飾層１４では、図２に示されるように接着剤層１３を介して基材フィルム１２に接着固定される接着部１４ｓでその周縁部を拘束されながら、隣接する接着部１４ｓ間で非接着部１４ｎに弛みが発生した状態となる。
【００３０】
そして、このような非接着部１４ｎでの弛みの発生により、図１（ａ）に見られるような凹凸模様（皺模様）が現出する。この凹凸模様により加飾層１４が不織布であることも相俟って、光線の反射態様に変化を与えることができ、従来にない加飾性、立体的な視覚効果、質感、風合を付与している。
【００３１】
また、上記のような加飾的な効果だけでなく、この凹凸より断熱性や保温性、あるいは、滑り止め等の機能を付与することもでき、ホットコーヒー等の高温の飲料向けに、安全、便利に使用することができるカップ容器を提供することができる。
【００３２】
以上、本発明の実施の形態とその作用効果を実施例に沿って説明したが、本発明の実施の形態は上記実施例に限定されるものではない。
たとえば、合成樹脂成形品は射出成形によるカップ容器に限定されるものではなく、インモールド成形が可能なブロー成形品、真空成形による熱成形品等の成形品とすることができ、また、従来より使用される合成樹脂を使用することができる。
【００３３】
また、ラベルについても本実施例では基材フィルム１２をカップ容器１と同種のＰＰ樹脂製として容器に直接溶融接着する構成としたが、ホットメルトタイプの接着層により成形品の表面に接着固定することもできる。
また、上記実施例ではカップ容器１の胴部の略全高さ、全周に亘ってラベル１１を貼付する構成としたが、勿論部分的に貼付することもできる。
また、加飾層の基材は不織布に限定されるものではなく、合成樹脂製フィルム、合成紙等、紙等さまざまな素材を選択することができる。
【００３４】
また、接着剤層１３の形成パターンは、実施例で示したクロスハッチ状、あるいは格子状のような網目状の全体的に連続したパターンに限定されるものではない。例えば図４に示したように円形のドットを多数配列したパターンとしたものである。
【００３５】
また、図５は本発明のラベル付き合成樹脂成形品の他の実施例を示す部分的な斜視図であり、複数の帯状の非接着部１４ｎを螺旋状に配置したものであり、このように接着剤層の形成パターンにより接着部１４ｓと非接着部１４ｎを組み合わせて、多様な凹凸模様を現出させることができる。また、図５の実施例のように螺旋状に限らず、帯状の非接着部１４ｎを縦方向に並列させて縦縞状にすること、あるいは周状に並列させて横縞状とすることもできる。
【００３６】
上記のように、接着剤層１３の形成パターンはさまざまな態様のなかから選択することができ、接着部１４ｓと非接着部１４ｎを組み合わせて文字や絵柄を現出させることもできるが、生産性の観点からは、接着剤層１３の形成パターンは図３、４、５の実施例に示されるように全体として規則性を有するパターンとするのが好ましい。
【産業上の利用可能性】
【００３７】
以上説明したように本発明のラベル付き成形品は、インモールド成形を利用して今までにない加飾性、立体的な視覚効果、質感、風合、さらには断熱性等の機能が付与されるものであり、カップ容器等の合成樹脂成形品への使用展開が期待される。
【図面の簡単な説明】
【００３８】
【図１】（ａ）は本発明のラベル付き合成樹脂成形品の一実施例であるラベル付きカップ容器の斜視図、（ｂ）はその説明図である。
【図２】図１の容器の層構成を示す説明図である。
【図３】図１の容器に使用するラベルの、（ａ）は接着剤層の形成パターンを示す説明図、（ｂ）は層構成を示す説明図である。
【図４】接着剤層の他の形成パターンを示す説明図である。
【図５】本発明のラベル付き合成樹脂成形品の他の実施例を示す部分的な斜視図である。
【図６】インモ−ルド射出成形の一例を示す概略的説明図である。
【符号の説明】
【００３９】
１  ；カップ容器
１１；ラベル
１２；基材フィルム
１３；接着剤層
１４；加飾層
１４ｓ；接着部
１４ｎ；非接着部
３１；射出成形金型
３２；コア型
３３；キャビティ型
３４；キャビティ
３５；ゲ−ト
３６；真空吸引孔
【図２】
0005105329.tif 000002
【図３】
0005105329.tif 000003
【図４】
0005105329.tif 000004
【図５】
0005105329.tif 000005
【図６】
0005105329.tif 000006
【図１】
0005105329.tif 000007